(57)【要約】【課題】  本考案は、浴槽内にシートを入れて、座って寄り掛かることにより、身体の全体を癒すことができる浴用リクライニングシートに関するものである。【解決手段】  本考案の浴用リクライニングシートは、浴槽内に入れて座ることにより身体の全体を癒すことができるものであり、合成樹脂製ネットを張るステンレス製パイプ状枠体と、枕を取り付ける棒状体からなる枕部と、前記パイプ状枠体と棒状体からなる枕部とを固定する固定部材とから構成されている。前記パイプ状枠体は、水平部と、背もたれ部と、角度調整部とから構成されている。前記水平部と背もたれ部には、合成樹脂製ネットが所定の角度に張られている。前記水平部は、背もたれ部と比較して長く、かつ、幅狭になっている。すなわち、前記パイプ状枠体は、足を載置する部分が狭く、背もたれ部分の幅がやや広めになっている。【選択図】    図１
0003114455.tif 000002
【実用新案登録請求の範囲】
【請求項１】
浴槽内に入れて座ることにより身体の全体を癒すことができる浴用リクライニングシートにおいて、
水平部、水平部より短く、かつ、幅広にした背もたれ部、角度調整部から構成されている合成樹脂製ネットを張るステンレス製パイプ状枠体と、
枕部材で覆うとともに、浴槽の両側に載置できるように突出した棒状体からなる枕部と、
前記パイプ状枠体と前記枕部とを固定する固定部材と、
を少なくとも備えていることを特徴とする浴用リクライニングシート。
【請求項２】
前記角度調整部は、水平部と背もたれ部との長さを加算してほぼ半分の部分に設けられていることを特徴とする請求項１に記載された浴用リクライニングシート。
【請求項３】
前記パイプ状枠体の水平部の一部および棒状体の浴槽載置部には、ゴムホースからなる被覆材によって覆われていることを特徴とする請求項１または２項に記載された浴用リクライニングシート。
【請求項４】
前記固定部材は、前記パイプ状枠体と前記枕部との両端部で固定するとともに、一箇所に開口部を有する枠部材であることを特徴とする請求項１から請求項３のいずれか１項に記載された浴用リクライニングシート。
【考案の詳細な説明】
【技術分野】
【０００１】
本考案は、浴槽内にシートを入れて、座って寄り掛かることにより、身体の全体を癒すことができる浴用リクライニングシートに関するものである。
【背景技術】
【０００２】
小スペースの家庭用浴室に使用でき、一人の介護者だけで、寝たきりの身体障害者等の入浴を容易にできる入浴用リフト装置は、たとえば、特開平６−３３９５０８号公報として公開されている。しかし、浴槽内に入れる浴用リクライニングシートは、公開されたものがなく、また、実際に作製されたものもない。また、健康器具には、身体の一部を強化したり、リラックスさせるものがあるが、身体全体を癒す器具ではない。
【特許文献１】特開平６−３３９５０８号公報
【考案の開示】
【考案が解決しようとする課題】
【０００３】
浴用リクライニングシートは、楽な姿勢で身体を湯に付けることができるため、健常者または障害者のいずれにも要望されていた。しかし、通常の浴用リクライニングシートを浴槽内に入れた場合、前記浴用リクライニングシートは、浮力により安定しない。また、長さ方向に長く、高さ方向が低いという形状の浴槽が多いにもかかわらず、リクライニングシートは、座る部分より背もたれ部の方が安定に寄り掛かれるようにするために長くなっているという特殊条件があった。このような条件を全て満足するための問題点が多いため、浴用リクライニングシートは、開発されることがなかった。
【０００４】
以上のような課題を解決するために、本考案は、浴槽内で安定して身体を載置できる形状および構造を有するものであり、使用時に身体の全体を癒すことができるだけでなく、不使用時に折り畳みができる浴用リクライニングシートを提供することを目的とする。
【課題を解決するための手段】
【０００５】
（第１考案）
第１考案の浴用リクライニングシートは、浴槽内に入れて座ることにより身体の全体を癒すことができるものであり、水平部、水平部より短く、かつ、幅広にした背もたれ部、角度調整部から構成されている合成樹脂製ネットを張るステンレス製パイプ状枠体と、枕部材で覆うとともに、浴槽の両側に載置できるように突出した棒状体からなる枕部と、前記パイプ状枠体と前記枕部とを固定する固定部材とを少なくとも備えていることを特徴とする。
【０００６】
（第２考案）
第２考案の浴用リクライニングシートは、第１考案の角度調整部が水平部と背もたれ部との長さを加算してほぼ半分の部分に設けられていることを特徴とする。
【０００７】
（第３考案）
第３考案の浴用リクライニングシートは、第１考案または第２考案のパイプ状枠体の水平部の一部および棒状体の浴槽載置部がゴムホースからなる被覆材によって覆われていることを特徴とする。
【０００８】
（第４考案）
第４考案の浴用リクライニングシートは、第１考案から第３考案における固定部材がパイプ状枠体と枕部との両端部で固定するとともに、一箇所に開口部を有する枠部材であることを特徴とする。
【考案の効果】
【０００９】
本考案によれば、足や腰部を載置する水平部および背もたれ部をステンレス製パイプ状枠体から構成されているため、浴槽内に浮かぶことなく、安定して入れることができ、合成樹脂製ネットに身体を置き、体全体を癒すことができる。
【００１０】
本考案によれば、浴用リクライニングシートの枕部とパイプ状枠体は、固定部材の取り外しにより分離できるため、清掃が簡単で、常に清潔にすることができる。また、浴用リクライニングシートは、水平部が短く、背もたれが長くなっているため、身体を安定して保持できるとともに、全体の長さのほぼ中央から二つ折りされるように角度調整部が設けられている。
【００１１】
本考案によれば、浴用リクライニングシートが浴槽やタイル等に衝突しても、ゴム部材により傷が付かない。
【考案を実施するための最良の形態】
【００１２】
（第１考案）
第１考案の浴用リクライニングシートは、浴槽内に入れて座ることにより身体の全体を癒すことができるものであり、合成樹脂製ネットを張るステンレス製パイプ状枠体と、枕を取り付ける棒状体からなる枕部と、前記パイプ状枠体と棒状体からなる枕部とを固定する固定部材とから構成されている。前記パイプ状枠体は、水平部と、背もたれ部と、角度調整部とから構成されている。前記水平部と背もたれ部には、合成樹脂製ネットが所定の角度に張られている。前記水平部は、背もたれ部と比較して長く、かつ、幅狭になっている。すなわち、前記パイプ状枠体は、足を載置する部分が狭く、背もたれ部分の幅がやや広めになっている。
【００１３】
前記浴用リクライニングシートは、前記棒状体を前記浴槽の縁に載置し、角度調整部の角度を所望にして浴槽内に入れる。前記棒状体には、たとえば、スポンジのような枕が嵌められている。また、前記棒状体の両端部に突出している部分は、浴槽の両端部に載置するために設けられている。前記固定部材は、前記パイプ状枠体と前記枕部とを固定するもので、弾性を有する部材で構成されることが望ましい。前記パイプ状枠体は、ステンレスからなる部材を使用するため、浴槽内で浮かずに安定して置くことができる。
【００１４】
（第２考案）
第２考案の浴用リクライニングシートは、第１考案における角度調整部が水平部と背もたれ部との長さを加算してほぼ半分の部分に来るように設けられている。浴用リクライニングシートは、身体を安定させて載置できるように、背もたれ部を水平部より長めにしてある。水平部と背もたれの間に角度調整部を設けた場合、水平部が短く、背もたれ部の長さが長い二つ折りになる。そこで、第２考案は、背もたれ部の下部より少し上の部分に角度調整部を設け、この部分から二つ折りにして、ほぼ二等分になるようにしている。
【００１５】
（第３考案）
第３考案の浴用リクライニングシートは、浴室内および浴槽との間で滑ったり、あるいは浴室のタイルを傷つけないように当該部分にゴムホースが被されている。すなわち、パイプ状枠体の水平部の一部には、浴室内のタイルに当たる部分にゴムホースからなる被覆材によって覆われている。また、浴槽の両端に載置する棒状体は、浴槽載置部分にゴムホースからなる被覆材によって覆われている。
【００１６】
（第４考案）
第４考案の浴用リクライニングシートは、前記パイプ状枠体と前記枕部との両端部を固定部材によって固定されている。前記固定部材は、たとえば、弾性を少し有する部材からなり、一箇所に開口部を有する枠部材で、前記開口部から前記棒状部材を通し、枕部の両端を押さえる。
【実施例１】
【００１７】
図１は（イ）は本考案の実施例である浴用リクライニングシートの側面図、（ロ）同じく正面図、（ハ）は折り畳んだ場合の側面図である。図２は本考案の実施例である浴用リクライニングシートの斜視図である。図１（イ）から（ハ）および図２において、浴用リクライニングシート１１は、ステンレス製パイプからなる枠部材１２と、枕部１３と、前記枠部材１２と枕部１３とを固定する固定部材１４、１４′と、合成樹脂製ネット１５とから構成されている。前記ステンレス製パイプからなる枠部材１２は、水平部１１１と、背もたれ部１１２と、前記水平部１１１と背もたれ部１１３の背もたれ部１１３側に取り付けられて、互いの角度を調整することができる角度調整部１１３とから構成されている。
【００１８】
また、前記浴用リクライニングシート１１は、前記枠部材１２に所定の角度になるように合成樹脂製ネット１５が張られている。前記枠部材１２は、水平部１１１の前部において、ゴム被覆材１１６、１１６′により覆われている。また、前記角度調整部１１３の下方における枠部材１２は、前記同様に、ゴム被覆材１１７により覆われている。さらに、枕部１１４を取り付ける棒状体１１８の両端部には、前記同様に、ゴム被覆材１１９、１１９′により覆われている。前記ゴム被覆材１１６、１１６′、１１７、１１９、１１９′は、浴槽またはタイル等に当たっても、当該場所に傷が付かない。
【００１９】
図３は本考案の浴用リクライニングシートを浴槽に入れた際の入浴中の断面図である。図３において、浴槽３１は、水面３２まで湯が入っている。入浴者３４は、前記浴用リクライニングシート１１を浴槽３１に入れ、枕部１３の棒状体１１８を浴槽３１の縁３３に載置する。前記入浴者３４は、前記角度調整部１１３により、背もたれ部１１２の角度を所望の角度にした後入浴する。前記入浴者３４は、枕部１３が首の後ろに来るようにして寄り掛かる。入浴者３４は、背中を浴用リクライニングシート１１の合成樹脂製ネット１５に寄り掛かり、楽な姿勢で入浴ができる。
【００２０】
図４は本考案の浴用リクライニングシートの裏面を説明するための図である。合成樹脂製ネット１５は、たとえば、ネット固定部材４１、４１′に両端を取り付ける。前記ネット固定部材４１、４１′は、たとえば、ネット固定紐４２、４２′によって引っ張られている。前記ネット固定紐４２、４２′は、弾性を有する部材を使用した方がよい。また、合成樹脂製ネット１５は、ゴム被覆材１１６、１１６を覆わないように切込部４３、４３′が設けられている。
【００２１】
図５は本考案の実施例である枕部と枠部材とを固定する固定部材を説明するための図である。図５において、固定部材１４は、枠部材１２と、枕を取り付ける棒状体１１８とを固定するものである。すなわち、前記固定部材１４は、枠部材１２および棒状体１１８を取り囲むような形状であり、一端部に開口５１１を備えている。前記開口５１１は、枠部材１２と棒状体１１８との取り付けに際し、都合のよいような形状になっている。前記固定部材１４の材質は、前記両者を固定する強度と程度の弾性を有することが望ましい。
【００２２】
図６は本考案の実施例である角度調整部を説明するための図で、（イ）は上面図、（ロ）は側面図、（ハ）角度調整の拡大図である。図６（イ）から（ハ）おいて、たとえば、角度調整部１１３は、歯車６１１を備えたラチェット６１と、前記ラチェット６１の角度を変えるための爪６２１付きのレバー６２と、レバー６２を付勢するバネ６３とから構成させれている。また、前記ラチェット６１は、水平部１１１と背もたれ部１１２とを軸６１２により回転自在になっている。
【００２３】
レバー６２は、背もたれ部１１２にバネ６２で付勢されるように取り付けられているとともに、前記バネ６２の付勢に反してレバー６２を移動させることにより爪６２１が歯車６１１から解除され、角度を調整できる。また、前記レバー６２の軸６２２は、連結杆６２２によって反対側の枠部材に連結されている。前記連結杆６２２の背もたれ部１１２に対する取り付けは、四角形とすることで、いずれか一方のレバー６２を動かすことで浴用リクライニングシート１１の角度を変えることができる。
【産業上の利用可能性】
【００２４】
以上、本考案の実施例を詳述したが、本考案は、前記実施例に限定されるものではなく、実用新案登録の範囲に記載された事項を逸脱することがなければ、種々の設計変更を行うことが可能である。本実施例に記載されている枕部およびネットの部材は、公知または周知のものを使用することができる。角度調整部は、公知または周知の技術を適用するたとができる。
【図面の簡単な説明】
【００２５】
【図１】（イ）は本考案の実施例である浴用リクライニングシートの側面図、（ロ）同じく正面図、（ハ）は折り畳んだ場合の側面図である。図２は本考案の実施例である浴用リクライニングシートの斜視図である。（実施例１）
【図２】本考案の実施例である浴用リクライニングシートの斜視図である。
【図３】本考案の浴用リクライニングシートを浴槽に入れた際の入浴中の断面図である。
【図４】本考案の浴用リクライニングシートの裏面を説明するための図である。
【図５】本考案の実施例である枕部と枠部材とを固定する固定部材を説明するための図である。
【図６】本考案の実施例である角度調整部を説明するための図で、（イ）は上面図、（ロ）は側面図、（ハ）角度調整の拡大図である。
【符号の説明】
【００２６】
１１・・・浴用リクライニングシート
１１１・・・水平部
１１２・・・背もたれ部
１１３・・・角度調整部
１１４・・・枕
１１６、１１６′、１１７、１１９、１１９′・・・ゴム被覆材
１１８・・・棒状体
１２・・・ステンレス製パイプ（枠部材）
１３・・・枕部
１４、１４′・・・固定部材
１５・・・合成樹脂製ネット
３１・・・浴槽
３２・・・水面
３３・・・浴槽の縁
３４・・・入浴者
４１、４１′・・・ネット固定部材
４２、４２′・・・ネット固定紐
５１１・・・開口
６１・・・ラチェット
６１１・・・歯車
６１２・・・軸
６２・・・レバー
６２１・・・爪
６２２・・・連結杆（連結杆端部）
６３・・・バネ
【図１】
0003114455.tif 000003
【図２】
0003114455.tif 000004
【図３】
0003114455.tif 000005
【図４】
0003114455.tif 000006
【図５】
0003114455.tif 000007
【図６】
0003114455.tif 000008